(57)【要約】【課題】脱硝触媒層やこれを構成する個々の触媒ブロックを取り出して洗浄する必要がなく、作業時間の短縮と作業労力の大幅な低減を図ると共に、別置きの水洗用プールを不要にすることが可能な排ガス脱硝装置の脱硝触媒層洗浄方法を提供する。【解決手段】排ガスが流れるガス通路２が形成された排ガスダクト３と、この排ガスダクト３のガス通路内に配置され、注入されるアンモニアにより排ガス中の窒素酸化物を除去する脱硝触媒層５ａ，５ｂとを有して構成される排ガス脱硝装置の脱硝触媒層を洗浄するにあたり、脱硝触媒層５ａ，５ｂの前後を仕切りダンパ１０〜１３で仕切って密閉空間８，９を形成し、密閉空間８，９に給水して前記脱硝触媒層５ａ，５ｂを洗浄し、しかる後に密閉空間８，９内の水を排水すると共に前記仕切りダンパ１０〜１３を除去する。【選択図】図２
2007152203.tif 000002
【特許請求の範囲】
【請求項１】
排ガスが流れるガス通路が形成された排ガスダクトと、この排ガスダクトのガス通路内に配置され、注入されるアンモニアにより排ガス中の窒素酸化物を除去する脱硝触媒層とを有して構成される排ガス脱硝装置の脱硝触媒層洗浄方法において、
前記脱硝触媒層の前後を仕切りダンパで仕切って前記排ガスダクト内に密閉空間を形成し、前記密閉空間に給水して前記脱硝触媒層を洗浄し、しかる後に密閉空間内の水を排水すると共に前記仕切りダンパを除去することを特徴とする脱硝装置の脱硝触媒層洗浄方法。
【請求項２】
排ガスが流れるガス通路が形成された排ガスダクトと、この排ガスダクトのガス通路内に配置され、注入されるアンモニアにより排ガス中の窒素酸化物を除去する脱硝触媒層とを有して構成されている排ガス脱硝装置において、
前記脱硝触媒層の前後を仕切って前記排ガスダクト内に密閉空間を形成する仕切りダンパを装着可能にするダンパ装着部と、前記密閉空間への給水を可能にする給水手段と、前記密閉空間内からの排水を可能にする排水手段とを有して構成されることを特徴とする排ガス脱硝装置。
【請求項３】
前記仕切りダンパは、複数の角落板を重ね合わせて構成されることを特徴とする請求項２記載の排ガス脱硝装置。
【発明の詳細な説明】
【技術分野】
【０００１】
この発明は、火力発電所等において発生する排ガス中の窒素酸化物を除去する排ガス脱硝装置に利用される脱硝触媒層洗浄方法と、この方法に適した排ガス脱硝装置に関する。
【背景技術】
【０００２】
石油や石炭などの化石燃料を燃やすことで発生する窒素酸化物は、そのまま大気に放出すると、大気中で硝酸に変換し、酸性雨の原因となる。このため、火力発電所等にあっては、廃熱回収ボイラの下流側に排ガス中の窒素酸化物を除去するための排ガス脱硝装置が設けられている。
【０００３】
この排ガス脱硝装置は、排ガスが流れる排ガスダクトと、この排ガスダクト内にアンモニアを注入するアンモニア注入ノズルと、アンモニア注入ノズルの下流側に設けられ、注入されたアンモニアにより排ガス中から窒素酸化物を除去する脱硝触媒層を有して構成されており、従来においては、例えば特許文献１に示されるように、触媒ユニットを複数集積して形成された触媒ブロックを複数組み合わせて脱硝触媒層を構成するようにしている（特許文献１参照）。このように、従来の脱硝触媒層は、複数の触媒ブロックを組み合わせて構成され、触媒ブロック単位で分割可能になっている。
【０００４】
【特許文献１】特開平１０−１５１３２４
【発明の開示】
【発明が解決しようとする課題】
【０００５】
ところで、脱硝触媒層は、長期間使用すると、触媒の表面に酸性硫安や煤塵などが付着し、脱硝性能が低下するので、水洗により付着した酸性硫安や煤塵などを除去し、性能回復を図ることが好ましい。
【０００６】
しかしながら、上述のように複数の触媒ブロックの集合体として脱硝触媒層が構成される場合には、図５に示されるように、脱硝触媒層５を構成する複数の触媒ブロック７を１つ１つ取り出して別置きプールへ移動させ、それぞれを水洗する必要がある。このため、作業時間がかかり、また、多大な労力、費用を要するものであった。また、水洗するための別置きプールを予め用意しておかなければならず、水洗用プールを設置するためにスペースを確保する必要であった。さらに、触媒は衝撃に弱いため、水洗するために触媒を排ガスダクトから取り出す作業は慎重に行わなければならず、気を使った作業を強いられるものであった。
【０００７】
本発明は、上述した事情に鑑みてなされたものであり、脱硝触媒層やこれを構成する個々の触媒ブロックを取り出して洗浄する必要がなく、作業時間の短縮と作業労力の大幅な低減を図ると共に、別置きの水洗用プールを不要にすることが可能な排ガス脱硝装置の脱硝触媒層洗浄方法、及びこの方法に用いられる脱硝装置を提供すことを主たる課題としている。
【課題を解決するための手段】
【０００８】
上記課題を達成するために、この発明にかかる排ガス脱硝装置の脱硝触媒層洗浄方法は、排ガスが流れるガス通路が形成された排ガスダクトと、この排ガスダクトのガス通路内に配置され、注入されるアンモニアにより排ガス中の窒素酸化物を除去する脱硝触媒層とを有して構成される排ガス脱硝装置の脱硝触媒層洗浄方法であって、前記脱硝触媒層の前後を仕切りダンパで仕切って密閉空間を形成し、前記密閉空間に給水して前記脱硝触媒層を洗浄し、しかる後に密閉空間内の水を排水すると共に前記仕切りダンパを除去することを特徴としている（請求項１）。
【０００９】
したがって、上述の構成によれば、脱硝触媒層を排ガスダクトから取り出す作業が不要となり、仕切りダンパによって脱硝触媒層の前後を仕切って排ガスダクト内に密閉空間を形成し、この密閉空間に給水することで脱硝触媒層を洗浄することが可能となる。そして、洗浄が完了した後は、密閉空間に溜められた水を排水し、仕切りダンパを除去すれば、脱硝触媒層の一連の洗浄作業は完了し、脱硝触媒層が複数の触媒ブロックで構成される場合でも、洗浄作業を一回でまとめて行うことが可能となる。
【００１０】
このような洗浄方法に用いられる排ガス脱硝装置としては、排ガスが流れるガス通路が形成された排ガスダクトと、この排ガスダクトのガス通路内に配置され、注入されるアンモニアにより排ガス中の窒素酸化物を除去する脱硝触媒層とを有して構成され、前記脱硝触媒層の前後を仕切って密閉空間を形成する仕切りダンパを装着可能とするダンパ装着部と、前記密閉空間への給水を可能にする給水手段と、前記密閉空間内からの排水を可能にする排水手段とを有して構成するとよい（請求項２）。
【００１１】
したがって、このような脱硝装置によれば、脱硝触媒層を洗浄する場合は、脱硝触媒層の前後のダンパ装着部に仕切りダンパを装着して脱硝触媒層の周囲に密閉空間を形成し、その上で給水手段により密閉空間に給水すればよく、洗浄が完了した後に排水手段により密閉空間内の水を排水し、仕切りダンパをダンパ装着部から除去すればよい。
【００１２】
ここで、仕切りダンパとしては、人力での操作を可能にするために複数の角落板を重ね合わせて構成するとよい（請求項３）。
【発明の効果】
【００１３】
以上述べたように、請求項１及び２に係る発明によれば、脱硝装置の脱硝触媒層の前後を仕切りダンパで仕切って排ガスダクト内に密閉空間を形成し、この密閉空間に給水して脱硝触媒層を洗浄し、しかる後に密閉空間内の水を排水すると共に仕切りダンパを除去するようにしたので、脱硝触媒層を構成する個々の触媒ブロックを取り出して洗浄する必要がなくなり、洗浄作業を一回で終えることが可能となる。このため、作業時間の短縮と作業労力の大幅な低減を図ることが可能となり、また、触媒を洗浄するための水洗用プールが不要になると共に、洗浄作業に伴う触媒の破損の恐れを無くすことが可能となる。
【００１４】
また、請求項３に係る発明によれば、仕切りプレートを複数の角落板を重ね合わせて構成するようにしたので、人力の操作で仕切りプレートの脱着が可能となり、重機を用いた大掛かりな作業が不要となる。
【発明を実施するための最良の形態】
【００１５】
以下、この発明の最良の実施形態を添付図面を参照しながら説明する。
【００１６】
図１及び図２において、本発明に係る脱硝触媒洗浄方法に利用される排ガス脱硝装置の好適な実施形態が示されている。この排ガス脱硝装置１は、ボイラ、ガスタービン、燃焼炉などから排出される排ガス中の窒素酸化物（NOｘ）を、注入アンモニアと触媒の作用により窒素と水に分解し、クリーンな排ガスを形成するためのもので、排ガスが流れるガス通路２が形成された排ガスダクト３を有し、このガス通路２内に、アンモニア含有ガスを噴射するアンモニア注入ノズル４と、その下流側に配置されて注入されたアンモニアにより排ガス中の窒素酸化物を還元する脱硝触媒層５とが設置されている。
【００１７】
この例において、脱硝触媒層５は、ガス通路２に所定の間隔をあけて２つ配置され、それぞれの脱硝触媒層５（上流側の脱硝触媒層５ａ、下流側の脱硝触媒層５ｂ）は、ガス通路２の通路断面に合わせた大きさに形成され、ガス通路２を流れる排ガスを全て通過させるようにしている。これら脱硝触媒層５は、例えば、従前の構成と同様、図５に示されるように、複数の触媒ユニット６を集積して形成された触媒ブロック７を、縦横および上下に集積してガス通路の通路断面に合わせた大きさに形成されている。
【００１８】
そして、それぞれの脱硝触媒層５の前後には、図２に示されるように、ガス通路を仕切って脱硝触媒層の周囲に密閉空間８，９を形成する仕切りダンパ１０〜１３を装着可能にするためのダンパ装着部１４ａ，１４ｂ，１５ａ，１５ｂが形成されている。
それぞれのダンパ装着部１４ａ，１４ｂ，１５ａ，１５ｂは、図３に示されるように、排ガスダクト３の立設する互いに対向した内壁面に仕切りダンパ１０〜１３の両側をガイドする突条１６を上端から下端にかけて形成することで構成され、それぞれのダンパ装着部１４ａ，１４ｂ，１５ａ，１５ｂの上方に位置する排ガスダクト３の上部には、仕切りダンパ１０〜１３の出し入れを可能とする開口部１７が形成されている。この開口部１７は、仕切りダンパ１０〜１３の出し入れを行わないときには、図示しない蓋体によって閉塞されている。
【００１９】
ここで、それぞれの仕切りダンパ１０〜１３は、図４に示されるように、複数の角落板２０ａ，２０ｂを上下に重ね合わせて構成されるもので、開口部１７を介して複数の角落板２０ａ，２０ｂを上方から順次降下させることでガス通路２を仕切るようにしている。
密閉空間８，９は、脱硝触媒層５の前後を仕切りダンパ１０〜１３によって仕切ることで形成されるが、排ガスダクト３には、その上部に給水口２１，２２が、また、その下部に排水口２３，２４がそれぞれ密閉空間８，９と望むように設けられている。また、給水口２１，２２の流入側には、給水口２１，２２と給水源２５とを接続する給水通路２６を開閉する給水バルブ２７，２８が設けられ、排水口２３，２４の流出側には、排水口２３，２４に接続された排水通路２９を開閉する排水バルブ３０，３１が設けられている。
【００２０】
以上の構成において、上流側の脱硝触媒層５ａを洗浄する場合には、その脱硝触媒層５ａの前後の２箇所のダンパ装着部１４ａ，１４ｂに仕切りダンパ１０，１１を開口部１７から降下させて装着し、脱硝触媒層５ａの周囲に密閉空間８を形成する。そして、給水バルブ２７を開にして、密閉空間８に給水し、脱硝触媒層５ａの全体を水に浸し、洗浄する。尚、給水バルブ２７は、密閉空間８に水が満たされた状態において閉にする。また、洗浄時においては、必要に応じて、洗剤等を添加するようにしてもよい。
その後、洗浄を完了させる場合には、排水バルブ３０を開にして密閉空間８内の水を排水し、排水しきった状態において、仕切りダンパ１０，１１を開口部１７を介して抜き取り、除去する。
【００２１】
また、下流側の脱硝触媒層５ｂを洗浄する場合には、その脱硝触媒層５ｂの前後の２箇所のダンパ装着部１５ａ，１５ｂに仕切りダンパ１２，１３を開口部１７から降下させて装着し、脱硝触媒層５ｂの周囲に密閉空間９を形成する。そして、給水バルブ２８を開にして、密閉空間９に給水し、脱硝触媒層５ｂの全体を水に浸し、水洗する。尚、給水バルブ２８は、密閉空間９に水が満たされた状態において閉にし、また、洗浄時においては、必要に応じて、洗剤等を添加する。
その後、洗浄を完了させる場合には、排水バルブ３１を開にして密閉空間９内の水を排水し、排水しきった状態において、仕切りダンパ１２，１３を開口部１７を介して抜き取り、除去する。
【００２２】
以上のそれぞれの脱硝触媒層５ａ，５ｂの洗浄工程は、別々に行うようにしても、同時に行うようにしてもよい。また、両方の脱硝触媒層５ａ，５ｂをまとめて洗浄するために、脱硝触媒層５ａの上流側のダンパ装着部１４ａと脱硝触媒層５ｂの下流側のダンパ装着部１５ｂとに仕切りダンパ１０，１３を装着させて両脱硝触媒層５ａ，５ｂを包含する一続きの密閉空間を形成し、給水バルブ２７，２８を開にして両脱硝触媒層５ａ，５ｂを洗浄し、洗浄後に排水バルブ３０，３１を開にして排水させ、仕切りダンパ１０，１３を除去するようにしてもよい。
【００２３】
したがって、上述の構成によれば、仕切りダンパ１０〜１３によって脱硝触媒層５ａ，５ｂの前後を仕切って排ガスダクト３内に密閉空間８，９を形成し、この密閉空間８，９に給水することで脱硝触媒層５ａ，５ｂを洗浄するようにしたので、脱硝触媒層５ａ，５ｂを排ガスダクト３から取り出して洗浄する作業が不要となり、脱硝触媒層５ａ，５ｂを構成する複数の触媒ブロックをまとめて一回で洗浄することが可能となる。このため、作業時間の短縮と作業労力の大幅な低減を図ることが可能となる。また、別置きの水洗用プールが不要となることから、水洗用プールを設置するスペースが不要となる。
【００２４】
さらに、上述の構成例においては、仕切りプレート１０〜１３を複数の角落板２０ａ，２０ｂを重ね合わせて構成するようにしたので、人力での操作で仕切りプレート１０〜１３の脱着が可能となり、重機を用いた大掛かりな作業が不要となる。
【図面の簡単な説明】
【００２５】
【図１】図１は、排ガス脱硝装置を示す斜視図である
【図２】図２は、本発明に係る排ガス脱硝装置の全体構成を説明する模式図である。
【図３】図３は、排ガス脱硝装置の脱硝触媒層前後に設けられるダンパ装着部と仕切りダンパの部分を示す拡大図であり、（ａ）はその平面図、（ｂ）は（ａ）のＡ−Ａ線で切断した断面図である。
【図４】図５は、仕切りダンパを構成する角落板を示す斜視図である。
【図５】図５は、脱硝触媒層の従来の洗浄作業を説明する図である。
【符号の説明】
【００２６】
１  排ガス脱硝装置
２  ガス通路
３  排ガスダクト
４  アンモニア注入ノズル
５，５ａ，５ｂ  脱硝触媒層
７  触媒ブロック
１０、１１，１２，１３  仕切りダンパ
１４ａ，１４ｂ，１５ａ，１５ｂ  ダンパ装着部
２１，２２  給水口
２３，２４  排水口
２７，２８  給水バルブ
３０，３１  排水バルブ
【図１】
2007152203.tif 000003
【図２】
2007152203.tif 000004
【図３】
2007152203.tif 000005
【図４】
2007152203.tif 000006
【図５】
2007152203.tif 000007